(57)【要約】【課題】庇のコーナー部分の強度を十分に高めて変形や破損のおそれをなくす。【解決手段】コーナー部１１Ｐを挟んで隣接する各壁面１０Ａ，１０Ｂの同じ高さ位置に一端部がコーナー部１１Ｐに位置するように金属製の保持枠材２Ａ，２Ｂがそれぞれ固定される。各保持枠材２Ａ，２Ｂの前面に庇板３Ａ，３Ｂの基端部が全幅にわたってそれぞれ支持される。各保持枠材２Ａ，２Ｂのコーナー部１１Ｐに位置する端部には、同じ斜め方向へ延びる金属製のコーナー枠材５Ａ，５Ｂがそれぞれ連設される。各コーナー枠材５Ａ，５Ｂはそれぞれの後面が重ねられて一体化されている。各庇板３Ａ，３Ｂのコーナー部１１Ｐの側の側端部には、各コーナー枠材５Ａ，５Ｂに向けて側方へ張り出すコーナー庇板３０Ａ，３０Ｂがそれぞれ連設される。各コーナー庇板３０Ａ，３０Ｂのコーナー枠材５Ａ，５Ｂに沿う基端部が各コーナー枠材５Ａ，５Ｂの前面に支持される。【選択図】図３
2011208489.tif 000002
【特許請求の範囲】
【請求項１】
コーナー部を含む建物の壁面に前方へ張り出すように設けられる庇であって、前記コーナー部を挟んで隣接する各壁面の同じ高さ位置に一端部がコーナー部に位置するようにそれぞれ固定される金属製の保持枠材と、各保持枠材の前面に基端部が全幅にわたってそれぞれ支持される庇板とから成り、各保持枠材のコーナー部に位置する端部には、同じ斜め方向へ延びる金属製のコーナー枠材がそれぞれ連設されるとともに、各コーナー枠材はそれぞれの後面が重ねられて一体化されており、各庇板のコーナー部の側の側端部には、各コーナー枠材に向けて側方へ張り出すコーナー庇板がそれぞれ連設されるとともに、各コーナー庇板のコーナー枠材に沿う基端部が各コーナー枠材の前面に支持されて成る庇。
【請求項２】
前記コーナー枠材は保持枠材に溶接により連設されている請求項１に記載された庇。
【請求項３】
前記庇板は、側端面を互いに突き合わせかつ係合させて庇の幅方向へ連結される複数の板材により構成されている請求項１に記載された庇。
【請求項４】
前記保持枠材およびコーナー枠材は、背板部の前面に背板部と直角をなす支持板部が一体形成されたものであり、隣接する各壁面に固定された各保持枠材は、背板部が建物の壁面にボルトにより固定され、各保持枠材に連設された各コーナー枠材は、それぞれの背板部の後面が重ねられて一体化されており、保持枠材の背板部に固定される固定枠片と保持枠材の支持板部との間で庇板の基端部が保持されるとともに、コーナー枠材の背板部に固定される固定枠片とコーナー枠材の支持板部との間でコーナー庇板の基端部が保持されている請求項１〜３のいずれかに記載された庇。
【請求項５】
前記保持枠材およびコーナー枠材は、背板部の前面に背板部と直角をなす上下一対の支持板部が一体形成されたものであり、隣接する各壁面に固定された各保持枠材は、背板部が建物の壁面にボルトにより固定され、各保持枠材に連設された各コーナー枠材は、それぞれの背板部の後面が重ねられて一体化されており、保持枠材の上下の支持板部間で庇板の基端部が保持されるとともに、コーナー枠材の上下の支持板部間でコーナー庇板の基端部が保持されている請求項１〜３のいずれかに記載された庇。
【請求項６】
請求項１〜５のいずれかに記載された庇であって、後面が重ねられて一体化された各コーナー枠材と建物の壁面との間に設けられるアームをさらに備えて成る庇。
【請求項７】
前記アームは、各コーナー枠材の重ねられた各後面に取り付けられた一対の下部基板と、下部基板間に下端部が回動自由に軸支された第１のネジ棒と、建物のコーナー部を挟む各壁面に取り付けられた一対の上部基板と、上部基板間に上端部が回動自由に軸支された第２のネジ棒と、両端面に第１、第２のネジ棒がネジ込まれるネジ穴が形成されたアーム本体とで構成されている請求項６に記載された庇。
【発明の詳細な説明】
【技術分野】
【０００１】
この発明は、コーナー部を含む建物の壁面に前方へ張り出すように設けられる庇に関する。
【背景技術】
【０００２】
従来、その種の庇として、建物のコーナー部を構成する隣接する壁面のそれぞれに設けられる庇本体の端部をそれぞれトメ切りにし、この２つの庇本体をコーナーブロックを中間に介在させてトメ接合により互いに連結した構造のものが提案されている（例えば特許文献１参照）。
【先行技術文献】
【特許文献】
【０００３】
【特許文献１】特開２００９−６８２６９号公報
【発明の概要】
【発明が解決しようとする課題】
【０００４】
しかしながら、上記した構成の庇は、庇本体のコーナー部分の荷重を庇本体が支える構造であるため、庇本体の張出し長さが例えば１メートル近くもある大きな庇では、コーナー部分の荷重が増して強度が不十分となり、荷重によって変形したり破損したりするおそれがある。したがって、張出し長さが１メートル近くもある大きな庇では、コーナー部分の荷重に耐えられるように、コーナー部分をアームによって吊持することが必要であり、コスト高や見栄えの低下を招くおそれがある。
【０００５】
この発明は、上記した問題に着目してなされたもので、コーナー部分の荷重をしっかりと支えることが可能な構造となすことにより、コーナー部分の強度を十分に高めて変形や破損のおそれをなくし、張出し長さが１メートル近くの大きな庇であっても、アームを用いて吊持する必要がない庇を提供することを目的とする。
また、この発明が他に目的とするところは、張出し長さが１メートルを越える程のさらに大きな庇については、アームによってコーナー部分の荷重をしっかり支えることが可能な庇を提供することにある。
【課題を解決するための手段】
【０００６】
この発明による庇は、コーナー部を含む建物の壁面に前方へ張り出すように設けられるものであって、前記コーナー部を挟んで隣接する各壁面の同じ高さ位置に一端部がコーナー部に位置するようにそれぞれ固定される金属製の保持枠材と、各保持枠材の前面に基端部が全幅にわたってそれぞれ支持される庇板とから成るものである。各保持枠材のコーナー部に位置する端部には、同じ斜め方向へ延びる金属製のコーナー枠材がそれぞれ連設されるとともに、各コーナー枠材はそれぞれの後面が重ねられて一体化されている。各庇板のコーナー部の側の側端部には、各コーナー枠材に向けて側方へ張り出すコーナー庇板がそれぞれ連設されるとともに、各コーナー庇板のコーナー枠材に沿う基端部が各コーナー枠材の前面に支持されている。
【０００７】
上記した構成の庇では、コーナー庇板の荷重は保持枠材に連設されたコーナー枠材により支えられるので、コーナー部分の強度が十分に高められ、変形や破損のおそれがない。
【０００８】
好ましい実施態様においては、前記コーナー枠材は保持枠材に溶接により連設されるものであるが、溶接に限らず、ボルトやナットなどの金具や強力な接着剤を用いて保持枠材にコーナー枠材を連設してもよく、また、１本の金属枠材を曲げてコーナー枠材を形成してもよい。
【０００９】
庇板は、一枚ものであってもよく、また、複数の板材を連結して構成されたものであってもよいが、特に、側端面を互いに突き合わせかつ係合させて庇の幅方向へ連結される複数の板材により構成するようにすれば、庇の施工が容易である。
【００１０】
保持枠材およびコーナー枠材として種々の態様のものが考えられるが、そのひとつの態様は、背板部の前面に背板部と直角をなす支持板部が一体形成されたものである。隣接する各壁面に固定された各保持枠材は、背板部が建物の壁面にボルトにより固定され、各保持枠材に連設された各コーナー枠材は、それぞれの背板部の後面が重ねられて一体化されている。また、保持枠材の背板部に固定される固定枠片と保持枠材の支持板部との間で庇板の基端部が保持されるとともに、コーナー枠材の背板部に固定される固定枠片とコーナー枠材の支持板部との間でコーナー庇板の基端部が保持される。
【００１１】
保持枠材およびコーナー枠材のふたつめの態様は、背板部の前面に背板部と直角をなす上下一対の支持板部が一体形成されたものである。隣接する各壁面に固定された各保持枠材は、背板部が建物の壁面にボルトにより固定され、各保持枠材に連設された各コーナー枠材は、それぞれの背板部の後面が重ねられて一体化されている。また、保持枠材の上下の支持板部間で庇板の基端部が保持されるとともに、コーナー枠材の上下の支持板部間でコーナー庇板の基端部が保持される。
【００１２】
この発明による他の庇は、後面が重ねられて一体化された各コーナー枠材と建物の壁面との間に設けられるアームをさらに備えて成るものである。
【００１３】
上記した構成の庇では、コーナー庇板の荷重は保持枠材に連設されたコーナー枠材により支えられるとともに、コーナー枠材はアームによって支えられるので、張出し長さが１メートルを越える程の大きな庇であっても、コーナー部分の強度がさらに高められる結果、変形や破損のおそれがない。
【００１４】
上記のアームを備えた庇の好ましい実施態様においては、前記アームは、各コーナー枠材の重ねられた各後面に取り付けられた一対の下部基板と、下部基板間に下端部が回動自由に軸支された第１のネジ棒と、建物のコーナー部を挟む各壁面に取り付けられた一対の上部基板と、上部基板間に上端部が回動自由に軸支された第２のネジ棒と、両端面に第１、第２のネジ棒がネジ込まれるネジ穴が形成されたアーム本体とで構成されている。
【００１５】
この実施態様の庇では、一体化された各コーナー枠材に一対の下部基板を、建物のコーナー部を挟む各壁面に一対の上部基板を、それぞれ取り付け、下部基板間に第１のネジ軸を、上部基板間に第２のネジ軸を、それぞれ軸支する。第１のネジ軸をアーム本体の一方の端面のネジ穴にネジ込み、第２のネジ軸をアーム本体の他方の端面のネジ穴にネジ込むことによりアーム本体と第１，第２の各ネジ軸とが接続される。
【発明の効果】
【００１６】
この発明によると、コーナー部分の荷重を保持枠材に連設されたコーナー枠材により支える構造としたから、コーナー部分の強度が十分に高められ、荷重によって変形したり破損したりするおそれがない。また、張出し長さが１メートル近くもある大きな庇であっても、アームを用いて吊持する必要はない。
また、張出し長さが１メートルを越える程のさらに大きな庇については、アームによってコーナー部分の荷重をしっかり支えるから、コーナー部分の強度がさらに高められる結果、荷重によって変形したり破損したりするおそれがない。
【図面の簡単な説明】
【００１７】
【図１】この発明の一実施例である庇の外観を示す平面図である。
【図２】図１の庇の側面図である。
【図３】図１の庇のコーナー部分を拡大して示す平面図である。
【図４】図１の庇のコーナー部分を拡大して示す底面図である。
【図５】庇板およびコーナー庇板を構成する板材の連結構造を示す断面図である。
【図６】図３のＸ−Ｘ線に沿う断面図である。
【図７】庇板の組立構造を示す斜視図である。
【図８】コーナー部分を上カバーを外して示した平面図である。
【図９】図８のＹ−Ｙ線に沿う断面図である。
【図１０】保持枠材およびコーナー枠材の他の実施例を示す断面図である。
【図１１】庇板の組立構造を示す斜視図である。
【図１２】庇板が一枚ものの実施例を上カバーを外して示した平面図である。
【図１３】鈍角をなすコーナー部を挟んで隣接する各壁面に施工された庇の外観を示す平面図である。
【図１４】鋭角をなすコーナー部を挟んで隣接する各壁面に施工された庇の外観を示す平面図である。
【図１５】この発明の他の実施例におけるアームの設置状態を示す正面図である。
【図１６】図１５の実施例におけるアームの壁面への取付構造を示す平面図である。
【図１７】図１５の実施例におけるアームのコーナー枠材への取付構造を示す断面図である。
【発明を実施するための形態】
【００１８】
図１および図２は、この発明の一実施例である庇１の外観を示している。
図示例の庇１は、２箇所のコーナー部１１Ｐ，１１Ｑを含む建物の各壁面１０Ａ〜１０Ｃに前方へ張り出すように庇板３Ａ〜３Ｃが設けられている。一方のコーナー部１１Ｐは隣接する壁面１０Ａ，１０Ｂにより構成され、また、他方のコーナー部１１Ｑは隣接する壁面１０Ｂ，１０Ｃにより構成されている。なお、図３および図４には、一方のコーナー部１１Ｐを挟んで隣接する各壁面１０Ａ，１０Ｂへの庇板３Ａ，３Ｂの設置状態を拡大して示しているが、他方のコーナー部１１Ｑを挟んで隣接する各壁面１０Ｂ，１０Ｃへの庇板３Ｂ，３Ｃの設置状態も同様であり、ここでは図示を省略する。
【００１９】
図示の建物の各コーナー部１１Ｐ，１１Ｑはいずれも直角をなしているが、この発明の庇は、図１３に示すように、鈍角をなすコーナー部１１を挟んで隣接する各壁面１０Ａ，１０Ｂにも施工でき、また、図１４に示すように、鋭角をなすコーナー部１１を挟んで隣接する各壁面１０Ａ，１０Ｂにも施工できる。
【００２０】
建物の３壁面１０Ａ〜１０Ｃのうち、中央の壁面１０Ｂには保持枠材２Ｂが所定の高さ位置に水平に固定され、その両端部は建物の各コーナー部１１Ｐ，１１Ｑにそれぞれ位置している。図１において、中央の壁面１０Ｂに向かって右側の壁面１０Ａの同じ高さ位置には保持枠材２Ａが水平に固定され、その一端部（図面では左端部）は建物の一方のコーナー部１１Ｐに位置している。中央の壁面１０Ｂに向かって左側の壁面１０Ｃの同じ高さ位置には保持枠材２Ｃが水平に固定され、その一端部（図面では右端部）は建物の他方のコーナー部１１Ｑに位置している。
各保持枠材２Ａ〜２Ｃは一定間隔毎の複数の箇所がアンカーボルト６（図６に示す）によりそれぞれの各壁面１０Ａ〜１０Ｃに固定されている。なお、各保持枠材２Ａ〜２Ｃは１本の金属枠材により構成してもよく、継ぎ足した複数本の金属枠材により構成してもよい。
【００２１】
各保持枠材２Ａ，２Ｂの一方のコーナー部１１Ｐに位置する側の端部に、同じ斜め方向（図示例では１３５度をなす角度方向）へ延びる金属製のコーナー枠材５Ａ，５Ｂが溶接によりそれぞれ連設されている。各コーナー枠材５Ａ，５Ｂはそれぞれの後面が重ねられ、その複数個所が後述するボルト６０により一体化されている。
【００２２】
また、保持枠材２Ｂ，２Ｃの他方のコーナー部１１Ｑに位置する側の端部に、同じ斜め方向（図示例では１３５度をなす角度方向）へ延びる金属製のコーナー枠材５Ｂ，５Ｃが溶接によりそれぞれ連設されている。各コーナー枠材５Ｂ，５Ｃはそれぞれの後面が重ねられ、その複数個所が後述するボルト６０により一体化されている。
なお、保持枠材２Ａ，２Ｃの他方の端部は端板２０Ａ，２０Ｃにより塞がれている。
【００２３】
各保持枠材２Ａ〜２Ｃの前面には庇板３Ａ〜３Ｃの基端部が全幅にわたってそれぞれ支持されている。これらの庇板３Ａ〜３Ｃのうち、庇板３Ａは、コーナー部１１Ｐの側の側端部に、コーナー枠材５Ａに向けて側方へ張り出すコーナー庇板３０Ａが連なっている。このコーナー庇板３０Ａはコーナー枠材５Ａに沿った斜めの基端部が各コーナー枠材５Ａの前面に支持されている。
【００２４】
同様に、庇板３Ｂは、各コーナー部１１Ｐ，１１Ｑの側の両側端部に、それぞれコーナー枠材５Ｂ，５Ｂに向けて側方へ張り出すコーナー庇板３０Ｂ，３０Ｂが連なっている。各コーナー庇板３０Ｂ，３０Ｂはコーナー枠材５Ｂ，５Ｂに沿った斜めの基端部が各コーナー枠材５Ｂ，５Ｂの前面にそれぞれ支持されている。
【００２５】
同様に、庇板３Ｃは、コーナー部１１Ｑの側の側端部に、コーナー枠材５Ｃに向けて側方へ張り出すコーナー庇板３０Ｃが連なっている。このコーナー庇板３０Ｃはコーナー枠材５Ｃに沿った斜めの基端部が各コーナー枠材５Ｃの前面に支持されている。
【００２６】
なお、図中、４Ａ〜４Ｃは庇板３Ａ〜３Ｃとコーナー庇板３０Ａとの先端縁、庇板３Ｂと左右のコーナー庇板３０Ｂ，３０Ｂとの先端縁、および庇板３Ｃとコーナー庇板３０Ｃとの先端縁に、それぞれ装着される縁板である。この実施例の縁板４Ａ〜４Ｃはアルミニウムにより形成されているが、必ずしも金属製である必要はなく、たとえば合成樹脂製であってもよい。
【００２７】
庇板３Ａ〜３Ｃは、側端面を互いに突き合わせかつ係合させて庇の幅方向へ連結される複数枚の中間板材３１により構成され、庇板３Ａ，３Ｃは、さらに、外側の位置において中間板材３１に一方の側端面を突き合わせかつ係合させて幅方向へ連結される１枚の側板材３２を含んでいる。中間板材３１と側板材３２とはともに平面形状が矩形であり、全てが同一長さに形成されている。
【００２８】
各コーナー庇板３０Ａ〜３０Ｃは、側端面を互いに突き合わせかつ係合させて庇の幅方向へ連結される複数の中間板材３３と、外側位置において中間板材３３に一方の側端面を突き合わせかつ係合させて幅方向へ連結される１枚の側板材３４とで構成されている。中間板材３３および側板材３４の基端縁は斜めであり、外側のものほど長さが短く、幅方向に連結された平面形状は直角三角形になっている。
上記の各中間板材３１，３３および各側板材３２,３４は、内部が中空であり、アルミニウムの押出成形により形成されている。
【００２９】
中間板材３１，３３は、図５に示すように、一方の側端面に第１の係合部３５を、他方の側端面に第２の係合部３６を、それぞれ備えたものであり、側板材３２，３４は、一方の側端面に第１の係合部３５または第２の係合部３６のいずれかを備えたものである。
中間板材３１，３３の第１の係合部３５は他の中間板材３１，３３または側板材３２，３４の第２の係合部３６と係脱可能であり、中間板材３１，３３の第２の係合部３６は他の中間板材３１，３３または側板材３２，３４の第１の係合部３５と係脱可能である。
各中間板材３１，３３の内部には、補強のためのリブ３７と縁板４を庇板３の先端面にネジ止めするためのネジ止め孔３８とが設けられている。
【００３０】
前記保持枠材２Ａ〜２Ｃは各庇板３Ａ〜３Ｃの基端部の全幅に相当する長さを有し、この保持枠材２Ａ〜２Ｃの前面に、図６および図７に示すように、庇板３Ａ〜３Ｃを構成する全ての中間板材３１および側板材３２の基端部が複数個の固定枠片７によって所定個数づつ（図示例では１個づつ）固定されている。庇板３Ａ〜３Ｃの固定された基端部には上方および下方から上カバー８と下カバー８０とが被せられ、保持枠材２Ａ〜２Ｃの前面や固定枠片７が外部から見えないようになっている。
【００３１】
保持枠材２Ａ〜２Ｃは、背板部２１の前面に背板部２１と直角をなす支持板部２２が一体形成されたものである。背板部２１は建物の壁面１０Ａ〜１０Ｃにアンカーボルト６により止め固定される。支持板部２２は庇板３Ａ〜３Ｃの基端部の下面を支持する。庇板３Ａ〜３Ｃの基端部は、この支持板部２２と、背板部２１の前面に固定される固定枠片７との間で保持される。
【００３２】
背板部２１の上端部には上カバー８の一端縁を係合させる係合突部２３が、下端部には下カバー８０の一端縁を係合させる第１の係合溝２４が、それぞれ全幅にわたり形成されている。また、支持板部２２の先端縁には下カバー８０の他端縁を係合させる第２の係合溝２５が全幅にわたり形成されている。背板部２１の下部位置にはアンカーボルト６が挿入されるボルト挿通孔２９が一定間隔毎に設けられている。背板部２１の上部位置と支持板部２２とには、各固定枠片７の取付位置に合わせてボルト挿通孔２７，２８が形成されている。
【００３３】
各固定枠片７はＬ字状に屈曲された形状のものであり、Ｌ字の垂直部７１に保持枠材２Ａ〜２Ｃのボルト挿通孔２７に連通するボルト挿通孔７３が、Ｌ字の水平部７２に保持枠材２Ａ〜２Ｃのボルト挿通孔２８と対向位置するボルト挿通孔７４が、それぞれ形成されている。ボルト挿通孔７３には固定枠片７を固定するためのボルト６１が挿入され、ボルト挿通孔７４には庇板３Ａ〜３Ｃを構成する各板材を固定するためのボルト６２が挿入される。ボルト６２は、各中間板材３１または側板材３２の基端部に形成されたボルト挿通孔２６と保持枠材２Ａ〜２Ｃの支持板部２２に形成されたボルト挿通孔２８を貫通し、ボルト６２の先端部にナット６３がネジ止めされる。
【００３４】
なお、図６において、６４は上カバー８の上端縁と建物の壁面１０Ａ〜１０Ｃとの間に嵌め込まれるコーキング材、６５は上カバー８の下端縁と庇板３Ａ〜３Ｃの上面との間に嵌め込まれるコーキング材である。これらのコーキング材６４，６５によって雨水の浸入が阻止される。また、８１は前記端板２０Ａ，２０Ｃをビス止めするために上下の各カバー８，８０に設けられたビス止め孔である。
【００３５】
コーナー枠材５Ａ〜５Ｃは各コーナー庇板３０Ａ〜３０Ｃの斜めの側縁の長さに相当する長さを有し、このコーナー枠材５Ａ〜５Ｃの前面に、図８および図９に示すように、コーナー庇板３０Ａ〜３０Ｃを構成する全ての中間板材３３および側板材３４の斜めをなす基端部が複数個の固定枠片７によって所定個数づつ（図示例では１個づつ）固定されている。コーナー庇板３０Ａ〜３０Ｃの固定された基端部には上方および下方から上カバー９と下カバー９０とが被せされ、コーナー枠材５Ａ〜５Ｃの前面や固定枠片７が外部から見えないようになっている。
【００３６】
コーナー枠材５Ａ〜５Ｃは、背板部５１の前面に背板部５１と直角をなす支持板部５２が一体形成されたものである。コーナー枠材５Ａ，５Ｃの背板部５１は、その背板部５１の後面に重ねられるコーナー枠材５Ｂの背板部５１にボルト６０およびナット６０ａによって一体化される。支持板部５２はコーナー庇板３０Ａ〜３０Ｃの斜めをなす基端部の下面を支持する。コーナー庇板３０Ａ〜３０Ｃの斜めをなす基端部は、この支持板部５２と、背板部５１の前面に固定される固定枠片７との間で保持される。
【００３７】
背板部５１の上端部には上カバー９の一端縁を係合させる係合突部５３が、下端部には下カバー９０の一端縁を係合させる第１の係合溝５４が、それぞれ全幅にわたり形成されている。また、支持板部５２の先端縁には下カバー９０の他端縁を係合させる第２の係合溝５５が全幅にわたり形成されている。背板部５１の下部位置にはボルト６０が挿入されるボルト挿通孔５６が一定間隔毎に設けられている。背板部５１の上部位置と支持板部５２とには、各固定枠片７の取付位置に合わせてボルト挿通孔５７，５８がそれぞれ形成されている。
【００３８】
各固定枠片７の垂直部７１に形成されたボルト挿通孔７３はコーナー枠材５Ａ〜５Ｃのボルト挿通孔５７に連通し、水平部７２に形成されたボルト挿通孔７４はコーナー枠材５Ａ〜５Ｃのボルト挿通孔５８と対向位置する。ボルト挿通孔５７には固定枠片７を固定するためのボルト６６が挿入され、ボルト挿通孔５８には各板材を固定するためのボルト６７が挿入される。ボルト６７は、各中間板材３３または側板材３４の斜めをなす基端部に形成されたボルト挿通孔２６とコーナー枠材５Ａ〜５Ｃの支持板部５２に形成されたボルト挿通孔５８を貫通し、ボルト６７の先端部にナット６８がネジ止めされる。
【００３９】
なお、図９に図示していないが、上カバー９の上端縁と建物の壁面１０Ａ〜１０Ｃとの間および上カバー９の下端縁とコーナー庇板３０Ａ〜３０Ｃの上面との間には、それぞれ雨水の浸入を阻止するためのコーキング材が嵌め込まれる。
【００４０】
図１０および図１１は、保持枠材２Ａ〜２Ｃの他の実施例を示している。なお、コーナー枠材５Ａ〜５Ｃも図１０の保持枠材２Ａ〜２Ｃと同様の構成のものであり、ここでは、保持枠材２Ａ〜２Ｃの各構成を示す符号にコーナー枠材５Ａ〜５Ｃの対応する構成を示す符号を括弧書きで表すことにより説明を省略する。
図示例の保持枠材２Ａ〜２Ｃ（コーナー枠材５Ａ〜５Ｃ）は、背板部２１（５１）の前面に可撓性を有する一対の支持板部２２ａ，２２ｂ（５５ａ，５５ｂ）が溝を挟んで上下に対向するように庇板３Ａ〜３Ｃ（コーナー庇板３０Ａ〜３０Ｃ）の全幅に対応する長さに一体形成されたものである。各支持板部２２ａ，２２ｂ（５２ａ，５２ｂ）の複数の対向する位置にボルト止め孔２８ａ，２８ｂ（５８ａ，５８ｂ）が貫通形成されるとともに、庇板３Ａ〜３Ｃ（コーナー庇板３０Ａ〜３０Ｃ）の基端部の前記の各ボルト止め孔２８ａ，２８ｂ（５８ａ，５８ｂ）に対応する位置にボルト止め孔２８ａ，２８ｂ（５８ａ，５８ｂ）と連通するボルト挿通孔２６（５６）が貫通形成されている。
【００４１】
前記支持板部２２ａ，２２ｂ（５２ａ，５２ｂ）により挟まれる溝は、庇板３Ａ〜３Ｃ（コーナー庇板３０Ａ〜３０Ｃ）の基端部を差し込むことが可能な溝幅を有し、各支持板部２２ａ，２２ｂ（５２ａ，５２ｂ）は、前記溝へ庇板３Ａ〜３Ｃ（コーナー庇板３０Ａ〜３０Ｃ）の基端部が差し込まれた状態で、連通するボルト止め孔２８ａ，２８ｂ（５８ａ，５８ｂ）とボルト挿通孔２６（５６）に対して一方の支持板部２２ａ（５２ａ）の外側よりボルト６２を一連に通しかつ他方の支持板部２２ｂ（５２ｂ）の外側へ突出したボルト６２の先端部にナット６３をネジ込んで締め付けたとき、撓んで変形することにより庇板３Ａ〜３Ｃ（コーナー庇板３０Ａ〜３０Ｃ）の基端部の上下各面に接して庇板３Ａ〜３Ｃ（コーナー庇板３０Ａ〜３０Ｃ）の基端部を挟持するように形成されている。
【００４２】
なお、上記した各実施例では、庇板３Ａ〜３Ｃおよびコーナー庇板３０Ａ〜３０Ｃは複数の板材を連ねて構成されているが、図１２に示すように、庇板３とコーナー庇板３０とが一体の一枚ものであってもよい。
【００４３】
また、上記した各実施例の庇は張出し長さが１メートル未満のものであるが、張出し長さが１メートルを越える程の大きな庇については、図１５〜図１７に示す実施例のように、コーナー枠材５Ａ，５Ｂをアーム１００によって吊持するようにする。
【００４４】
アーム１００は、図１５に示すように、アルミニウムなどの金属製の棒材より成るアーム本体１０１と、アーム本体１０１の下端部を一体化された各コーナー枠材５Ａ，５Ｂに接続するための第１のネジ軸１１０および下部接続金具１２０と、アーム本体１０１の上端部を建物の壁面のコーナー部１１Ｐに接続するための第２のネジ軸１３０おより上部接続金具１４０とで構成されている。
【００４５】
各コーナー枠材５Ａ，５Ｂは、図１７に示すように、背板部５１，５１の後面が重ねられてボルト６０およびナット６０ａにより一体化されており、アーム本体１０１の下端部が接続される部位の各背板部５１，５１の前面には下部接続金具１２０を構成する一対の下部基板１２１，１２２が２本のボルト１２３，１２４により取り付けられている。各下部基板１２１，１２２は矩形状の金属板材より成り、各背板５１の上方へ突出する部分が所定の間隔を隔てて対向し、その対向する部分に第１のネジ軸１１０の基端部を回動自由に軸支するボルト１２５が架設されている。
【００４６】
第１のネジ軸１１０は、基端部に前記ボルト１２５の軸部を通す環状部１１１を有し、先端部には長さのほぼ半分にわたるネジ部１１２が形成されている。このネジ部１１２はアーム本体１０１の下端面に形成されたネジ穴１０２にねじ込まれるもので、これによりアーム本体１０１と第１のネジ軸１１０とが接続される。
【００４７】
建物のコーナー部１１Ｐには、図１６に示すように、コーナー部１１Ｐを挟む各壁面１０Ａ，１０Ｂに沿うＬ型形状のベース板１２が取り付けられ、ベース板１２の直角をなす各板部１２Ａ，１２Ｂの前面にそれぞれ２本のアンカーボルト１３，１３，１４，１４が突出している。ベース板１２の各板部１２Ａ，１２Ｂ上には上部接続金具１４０を構成する一対の上部基板１４１，１４２の基端部が取り付けられている。各上部基板１４１，１４２の基端部の前記アンカーボルト１３，１４に対応する位置にはボルト挿通孔１４３，１４４がそれぞれ形成されており、各アンカーボルト１３，１４をボルト挿通孔１４３，１４４に通してナット１４５，１４６で締め付けることによりベース板１２上に各上部基板１４１，１４２が取り付け固定されている。各上部基板１４１，１４２は互いに対向する軸止部１４７，１４８を有し、その軸止部１４７，１４８に第２のネジ軸１３０の基端部を回動自由に軸支するボルト１４９が架設されている。
【００４８】
第２のネジ軸１３０は、基端部に前記ボルト１４９を通す環状部１３１を有し、先端部には長さのほぼ半分にわたるネジ部１３２が形成されている。このネジ部１３２はアーム本体１０１の上端面に形成されたネジ穴１０３にねじ込まれるもので、これによりアーム本体１０１と第２のネジ軸１３０とが接続される。第２のネジ軸１３０およびアーム本体１０１の上端面のネジ穴１０３と第１のネジ軸１１０およびアーム本体１０１の下端面のネジ穴１０２とは逆方向のネジが切られており、アーム本体１０１を一方へ軸回動することで両端部において同時にネジが締まり、反対方向へ軸回動することで両端部において同時にネジが緩むようになっている。なお、この実施例では、アーム本体１０１として長さ方向に複数本の貫通孔を有するアルミニウム製の棒材が用いてあり、各端面は貫通孔内へ雨水が浸入しないように蓋板１０４で塞がれ、そのうえに緩み止め用のナット１０５が装着されている。
【００４９】
上記した構成の庇をコーナー部１１Ｐ，１１Ｑを含む建物の壁面１０Ａ〜１０Ｃに設けるには、まず、建物の各壁面１０Ａ〜１０Ｃの同じ高さ位置に保持枠材２Ａ〜２Ｃをアンカーボルト６により水平に固定する。つぎに、庇板３Ａ〜３Ｃを構成する全ての中間板材３１および側板材３２の基端部を保持枠材２Ａ〜２Ｃに、コーナー庇板３０Ａ〜３０Ｃを構成する全ての中間板材３２および側板材３４の斜めの基端部をコーナー枠材５Ａ〜５Ｃに、それぞれ固定枠片７により順次固定した後、庇板３Ａ〜３Ｃおよびコーナー庇板３０Ａ〜３０Ｃの基端部に上カバー８，９および下カバー８０，９０をそれぞれ被せ、先端縁には縁板４Ａ〜４Ｃを装着する。
【００５０】
上記した構成の庇１では、庇板３Ａ〜３Ｃの荷重は保持枠材２Ａ〜２Ｃにより支えられ、コーナー庇板３０Ａ〜３０Ｃの荷重は保持枠材２Ａ〜２Ｃに連設されたコーナー枠材５Ａ〜５Ｃにより支えられるので、コーナー部分の強度が十分に高められ、変形や破損のおそれがない。
【００５１】
図１５〜図１７に示す実施例において、庇にアーム１００を取り付ける場合、一体化された各コーナー枠材５Ａ，５Ｂの適所に下部接続金具１２０の下部基板１２１，１２２を、建物のコーナー部１１Ｐを挟む各壁面１０Ａ，１０Ｂに上部接続金具１４０の上部基板１４１，１４２を、それぞれ取り付ける。下部基板１２１，１２２間に設けられたボルト１２５に第１のネジ軸１１０の環状部１１１を、上部基板１４１，１４２間に設けられたボルト１４９に第２のネジ軸１３０の環状部１３１を、それぞれ軸支した後、第１、第２の各ネジ軸１１０，１３０のネジ部１１２，１３２をアーム本体１０１の両端のネジ穴１０２，１０３に位置合わせし、アーム本体１０１を所定の方向へ軸回動することによりアーム本体１０１の両端面のネジ穴１０２，１０３に第１、第２の各ネジ軸１１０，１３０のネジ部１１２，１３２が同時にネジ込まれる。
【００５２】
上記した構成の庇では、コーナー庇板３０Ａ，３０Ｂの荷重は保持枠材２Ａ，２Ｂに連設されたコーナー枠材５Ａ，５Ｂにより支えられるとともに、コーナー枠材５Ａ，５Ｂはアーム１００によって支えられるので、張出し長さが１メートルを越える程の大きな庇であっても、コーナー部分の強度がさらに高められる結果、変形や破損のおそれがない。
【符号の説明】
【００５３】
１    庇
２Ａ，２Ｂ，２Ｃ  保持枠材
３Ａ，３Ｂ，３Ｃ  庇板
５Ａ，５Ｂ，５Ｃ  コーナー枠材
３０Ａ，３０Ｂ，３０Ｃ  コーナー庇板
３１，３３  中間板材
３２，３４  側板材
２１，５１  背板部
２２，５２  支持板部
６，６０  ボルト
１００  アーム
１０１  アーム本体
１０２，１０３  ネジ穴
１１０  第１のネジ軸
１２１，１２２  下部基板
１３０  第２のネジ軸
１４１，１４２  上部基板
【図１】
2011208489.tif 000003
【図２】
2011208489.tif 000004
【図３】
2011208489.tif 000005
【図４】
2011208489.tif 000006
【図５】
2011208489.tif 000007
【図６】
2011208489.tif 000008
【図７】
2011208489.tif 000009
【図８】
2011208489.tif 000010
【図９】
2011208489.tif 000011
【図１０】
2011208489.tif 000012
【図１１】
2011208489.tif 000013
【図１２】
2011208489.tif 000014
【図１３】
2011208489.tif 000015
【図１４】
2011208489.tif 000016
【図１５】
2011208489.tif 000017
【図１６】
2011208489.tif 000018
【図１７】
2011208489.tif 000019
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
コーナー部を含む建物の壁面に前方へ張り出すように設けられる庇であって、前記コーナー部を挟んで隣接する各壁面の同じ高さ位置に一端部がコーナー部に位置するようにそれぞれ固定される金属製の保持枠材と、各保持枠材の前面に基端部が全幅にわたってそれぞれ支持されて固定される庇板と、各保持枠材のコーナー部に位置する端部のそれぞれに連設されて同じ斜め方向へ延びる金属製のコーナー枠材と、各庇板のコーナー部の側の側端部にそれぞれ連設されるコーナー庇板とから成り、前記の各コーナー枠材は、背板部の前面に直角をなす支持板部が一体形成され、同じ斜め方向へ延びる各コーナー枠材の背板部はそれぞれの後面が重ねられるとともに複数箇所がボルトおよびナットにより一体化されており、前記の各コーナー庇板は、各コーナー枠材に向けて側方へ張り出し、コーナー庇板の斜めをなす基端部の下面が各コーナー枠材の支持板部上に支持されて固定されて成る庇。
【請求項２】
前記コーナー枠材は保持枠材に溶接により連設されている請求項１に記載された庇。
【請求項３】
前記庇板は、側端面を互いに突き合わせかつ係合させて庇の幅方向へ連結される複数の板材により構成されている請求項１に記載された庇。
【請求項４】
前記コーナー庇板の基端部は、コーナー枠材の背板部に固定される固定枠片とコーナー枠材の支持板部との間で保持されている請求項１または２に記載された庇。
【請求項５】
前記コーナー枠材には、前記支持板部と溝を挟んで上下に対向する第２の支持板部が背板部に一体形成されており、前記コーナー庇板の基端部は、前記溝に差し込まれた状態で上下の支持板部により挟持されている請求項１または２に記載された庇。
【請求項６】
請求項１〜５のいずれかに記載された庇であって、背板部の後面が重ねられてボルトおよびナットにより一体化された各コーナー枠材と建物の壁面との間に設けられるアームをさらに備えて成る庇。
【請求項７】
前記アームは、後面が重ねられた各コーナー枠材の背板部に取り付けられた一対の下部基板と、下部基板間に下端部が回動自由に軸支された第１のネジ棒と、建物のコーナー部を挟む各壁面に取り付けられた一対の上部基板と、上部基板間に上端部が回動自由に軸支された第２のネジ棒と、両端面に第１、第２のネジ棒がネジ込まれるネジ穴が形成されたアーム本体とで構成されている請求項６に記載された庇。
【手続補正２】
【補正対象書類名】明細書
【補正対象項目名】０００６
【補正方法】変更
【補正の内容】
【０００６】
この発明による庇は、コーナー部を含む建物の壁面に前方へ張り出すように設けられるものであって、前記コーナー部を挟んで隣接する各壁面の同じ高さ位置に一端部がコーナー部に位置するようにそれぞれ固定される金属製の保持枠材と、各保持枠材の前面に基端部が全幅にわたってそれぞれ支持されて固定される庇板と、各保持枠材のコーナー部に位置する端部のそれぞれに連設される金属製のコーナー枠材と、各庇板のコーナー部の側の側端部にそれぞれ連設されて同じ斜め方向へ延びるコーナー庇板とから成るものである。前記の各コーナー枠材は、背板部の前面に直角をなす支持板部が一体形成され、同じ斜め方向へ延びる各コーナー枠材の背板部はそれぞれの後面が重ねられるとともに複数箇所がボルトおよびナットにより一体化されている。前記の各コーナー庇板は、各コーナー枠材に向けて側方へ張り出し、コーナー庇板の斜めをなす基端部の下面が各コーナー枠材の支持板部上に支持されて固定されている。
【手続補正３】
【補正対象書類名】明細書
【補正対象項目名】００１０
【補正方法】変更
【補正の内容】
【００１０】
この発明の好ましい実施態様においては、前記コーナー庇板の基端部は、コーナー枠材の背板部に固定される固定枠片とコーナー枠材の支持板部との間で保持されている。
【手続補正４】
【補正対象書類名】明細書
【補正対象項目名】００１１
【補正方法】変更
【補正の内容】
【００１１】
この発明の好ましい他の実施態様においては、前記コーナー枠材には、前記支持板部と溝を挟んで上下に対向する第２の支持板部が背板部に一体形成されており、前記コーナー庇板の基端部は、前記溝に差し込まれた状態で上下の支持板部により挟持されている。
【手続補正５】
【補正対象書類名】明細書
【補正対象項目名】００１２
【補正方法】変更
【補正の内容】
【００１２】
この発明による他の庇は、背板部の後面が重ねられてボルトおよびナットにより一体化された各コーナー枠材と建物の壁面との間に設けられるアームをさらに備えて成るものである。
【手続補正６】
【補正対象書類名】明細書
【補正対象項目名】００１４
【補正方法】変更
【補正の内容】
【００１４】
上記のアームを備えた庇の好ましい実施態様においては、前記アームは、後面が重ねられた各コーナー枠材の背板部に取り付けられた一対の下部基板と、下部基板間に下端部が回動自由に軸支された第１のネジ棒と、建物のコーナー部を挟む各壁面に取り付けられた一対の上部基板と、上部基板間に上端部が回動自由に軸支された第２のネジ棒と、両端面に第１、第２のネジ棒がネジ込まれるネジ穴が形成されたアーム本体とで構成されている。